(57)【特許請求の範囲】
【請求項１】
ドアレールに沿ってスライドドアを水平方向に往復動可能に吊り下げたドア装置であって、
前記スライドドアの上方において建物に固定された固定部材と前記スライドドアとの間に、閉鎖状態の前記スライドドアの上方への動きを阻止する阻止手段を設け、
前記阻止手段は、前記固定部材に取り付けられた阻止部材と、前記スライドドアの上端に取り付けられた被阻止部材とにより構成され、
前記阻止部材は、下面に係合溝が形成されており、
前記被阻止部材は、前記スライドドアの開閉方向に延びる長尺状の凸部形状を有し、前記係合溝に前記開閉方向に移動可能に進入可能であることを特徴とするドア装置。
【請求項２】
請求項１において、前記阻止部材と前記被阻止部材とは、非接触状態であることを特徴とするドア装置。
【請求項３】
請求項１又は２において、固定パネルの内側に、スライドドアが装設され、前記スライドドアが通路を閉鎖した状態において、前記固定パネルとスライドドアとの間の隙間を遮蔽する遮蔽板が設けられ、スライドドアの上端部と前記通路の内頂面を構成する通路形成部材との間の隙間を遮蔽する遮蔽板が設けられていることを特徴とするドア装置。
【請求項４】
請求項１〜３のいずれか一項において、前記スライドドアの下端面には、板状の被案内部材が下方に延びるように取り付けられ、該被案内部材の表面には床面のガイド溝の両側面によって位置規制される振止部材が取り付けられていることを特徴とするドア装置。
【発明の詳細な説明】
【技術分野】
【０００１】
本発明は、上方へのこじ開け力に対抗することができるドア装置に関する。
【背景技術】
【０００２】
こじ開け防止装置及びそれを備えた自動ドアとして、特許文献１に開示されたものが提案されている。このこじ開け防止装置を図７に基づいて説明する。スライドドア７１の下端部に逆Ｔ字状をなす係合金具７２が取り付けられている。一方、床面には、スライドドア７１の下端部を案内する収容溝ｍが形成されている。この収容溝ｍには、断面Ｃ形をなす被係合金具７３が固定されている。そして、スライドドア７１が建物の出入口を閉鎖する位置に移動されると、前記係合金具７２が被係合金具７３内に入り込んで、被係合金具７３の左右一対の上板部７３ａの下面に係合金具７２の下端の左右一対のフランジ部７２ａが対応するようになっている。このため、スライドドア７１の下端面と床面との間に形成される隙間にバールの先端部が挿入されて、該バールによりスライドドア７１が持ち上げられようとしても、前記係合金具７２のフランジ部７２ａが被係合金具７３の上板部７３ａに係合されて、スライドドア７１の上方へのこじ開けが防止される。
【先行技術文献】
【特許文献】
【０００３】
【特許文献１】特開２００５‐２７３１７２号公報（明細書の段落００３０〜００３８及び図２参照）
【発明の概要】
【発明が解決しようとする課題】
【０００４】
上述のスライドドア７１のこじ開け防止装置においては、容積が制約された収容溝ｍ内に前記係合金具７２及び被係合金具７３が収容されているので、係合金具７２及び被係合金具７３の肉厚寸法を厚くしてそれらの剛性を高くするには限界があった。又、前記被係合金具７３の上板部７３ａの先端部や係合金具７２のフランジ部７２ａは片持ち形状となっているので、上板部７３ａにフランジ部７２ａが押し付けられると、フランジ部７２ａ及び上板部７３ａがそれらの付根部を中心に変形し易い。このため、スライドドア７１が容易に持ち上げられて、こじ開けられるという問題があった。加えて、前記被係合金具７３の内部には、ゴミ等が侵入し易く、両上板部７３ａ間の隙間が狭いために、侵入したゴミ等の除去が面倒であった。
【０００５】
本発明は、上記従来の技術に存する問題点を解消して、スライドドアに持ち上げ荷重が作用しても、こじ開けを防止することができるドア装置を提供することにある。
【課題を解決するための手段】
【０００６】
上記問題点を解決するために、請求項１に記載の発明は、ドアレールに沿ってスライドドアを水平方向に往復動可能に吊り下げたドア装置であって、前記スライドドアの上方に
おいて建物に固定された固定部材と前記スライドドアとの間に、閉鎖状態の前記スライドドアの上方への動きを阻止する阻止手段を設け、前記阻止手段は、前記固定部材に取り付けられた阻止部材と、前記スライドドアの上端に取り付けられた被阻止部材とにより構成され、前記阻止部材は、下面に係合溝が形成されており、前記被阻止部材は、前記スライドドアの開閉方向に延びる長尺状の凸部形状を有し、前記係合溝に前記開閉方向に移動可能に進入可能であることを要旨とする。ここで、「スライドドアの動きを阻止する」とは、スライドドアに対するこじ開けを阻止するために、スライドドアと床面との間の隙間が拡大されることを阻止する、の意味である。
【０００８】
請求項２に記載の発明は、請求項１において、前記阻止部材と前記被阻止部材とは、非接触状態であることを要旨とする。
請求項３に記載の発明は、請求項１又は２において、固定パネルの内側に、スライドドアが装設され、前記スライドドアが通路を閉鎖した状態において、前記固定パネルとスライドドアとの間の隙間を遮蔽する遮蔽板が設けられ、スライドドアの上端部と前記通路の内頂面を構成する通路形成部材との間の隙間を遮蔽する遮蔽板が設けられていることを要旨とする。
【０００９】
請求項４に記載の発明は、請求項１〜３のいずれか一項において、前記スライドドアの下端面には、板状の被案内部材が下方に延びるように取り付けられ、該被案内部材の表面には床面のガイド溝の両側面によって位置規制される振止部材が取り付けられていることを要旨とする。
【００１０】
（作用）
この発明は、阻止手段がスライドドアの上端面の上方に位置するように固定部材に設けられているので、広い設置スペースに阻止手段を装設することができる。このため、阻止手段を剛性の高い厚肉寸法の部材によって構成することができる。従って、スライドドアの下面と床面との間に形成された隙間にこじ開け用の工具が侵入されて、スライドドアに上方向の強い荷重が作用しても、スライドドアの上端面の上方への移動が阻止手段によって阻止され、スライドドアのこじ開けが未然に防止される。
【発明の効果】
【００１１】
本発明によれば、スライドドアに強い持ち上げ荷重が作用しても、スライドドアのこじ開けを未然に防止することができる。
【図面の簡単な説明】
【００１２】
【図１】この発明のドア装置を具体化した一実施形態を示す一部省略縦断面図。
【図２】ドア装置の略体正面図。
【図３】ドア装置の拡大平断面図。
【図４】スライドドアの一部省略斜視図。
【図５】この発明のドア装置の別の実施形態を示す要部縦断面図。
【図６】この発明のドア装置の別の実施形態を示す要部縦断面図。
【図７】従来のドア装置のこじ開け防止装置を示す縦断面図。
【発明を実施するための形態】
【００１３】
以下、本発明を具体化した自動ドア装置の一実施形態を図１〜図４に従って説明する。
最初に、図１〜図３に基づいて、ドア装置の概略構成について説明する。図２に示すように、左右一対の支柱１１，１２が床面Ｆと上階の梁１３との間に立設されている。前記支柱１１，１２の対向する内側には、左右一対の固定パネル１４，１５が固定されている。固定パネル１４，１５の間には、図３に示すように通路Ｔが形成されている。前記固定パネル１４，１５の間には、左右一対のスライドドア１６，１７が前記通路Ｔを開閉するように装設されている。
【００１４】
前記支柱１１，１２の間の上部位置には、上階の梁１３の直下で、かつ上下二箇所に位置するようにアングル材よりなる建物の第１支持枠１８及び第２支持枠１９が架橋されている。前記第１及び第２支持枠１８，１９には、固定部材としての固定基板２０が固定され、各パネル１４〜１７と上階の梁１３との間の空間を閉鎖するようにしている。前記固定基板２０と前記スライドドア１６，１７との間には、スライドドア１６，１７の移動を案内するための案内機構２１が装設されている。又、前記スライドドア１６，１７と、前記固定基板２０との間には、スライドドア１６，１７の上方向への移動を阻止するための阻止手段２２が装設されている。前記固定基板２０と前記案内機構２１との間には、スライドドア１６，１７をそれぞれ水平方向に同期して往復移動させるための駆動機構２３が装設されている。
【００１５】
図１に示すように、前記固定基板２０には、案内レール２５ａを有するガイド部材２５が水平方向に延長するように固定されている。案内レール２５ａ上には吊下金具２７がローラ２６によって移動可能に支持されている。吊下金具２７の下部にはスペーサ２８を介してブラケット２９が固定されている。ブラケット２９の下部にはスライドドア１６，１７が吊下状態で固定されている。
【００１６】
図１に示すように、床面Ｆには前記スライドドア１６，１７の下端部と対応して収容溝ｍが形成され、この収容溝ｍには案内溝３１ａを有する案内レール３１が収容されている。前記スライドドア１６，１７の下面には、被案内部材３２が連結され、その左右両側には振止部材３３がボルトによって連結されている。そして、振止部材３３が前記案内レール３１の案内溝３１ａに収容され、案内溝３１ａの延長方向に沿って被案内部材３２及び振止部材３３が案内移動されるようになっている。
【００１７】
前記ガイド部材２５の下方において、前記固定基板２０には取付基板３５が固定され、その水平板部３５ａの下面にはレール状の阻止部材３６が固定されている。阻止部材３６の下面には案内溝３６ａが形成されている。前記ブラケット２９の下部には取付板３８がボルトによって固定され、その端縁には案内溝３６ａ内に進入可能な長尺状の被阻止部材３９が固定されている。
【００１８】
図１に示すように、固定パネル１４，１５の下端部は、床面Ｆに形成された係合溝ｋに係合されている。
図１に示すように、前記第２支持枠１９の下面には、通路Ｔの全幅に対応する長さの枠体４１が固定されている。前記第１及び第２支持枠１８，１９には、前記固定基板２０、案内機構２１及び阻止手段２２等の諸部品を遮蔽するカバー４２が装着されている。前記カバー４２の下部の水平板部４２ａは、前記枠体４１の下面を被覆するように水平に配設されている。前記水平板部４２ａの下面には、前記固定パネル１４，１５の上端面が接合されている。前記水平板部４２ａは、前記通路Ｔの上端面を形成する通路形成部材となっている。
【００１９】
前記枠体４１のスライドドア１６，１７側の端縁には、断面Ｌ形の第１遮蔽板４１ａが形成されている。前記スライドドア１６，１７の上端面には、断面逆Ｌ字形の第２遮蔽板４３が接合されている。そして、第１遮蔽板４１ａと該第２遮蔽板４３とが、図１の左右方向にラップされて、枠体４１とスライドドア１６，１７との間の隙間Ｓ１が遮蔽されている。
【００２０】
図３に示すように、前記固定パネル１４，１５の通路Ｔ側の端部には、前記固定パネル１４，１５と、前記スライドドア１６，１７との隙間Ｓ２を狭くするための膨出部５１が上下方向に延長形成されている。両膨出部５１の角部には、断面Ｌ形の第３遮蔽板５２が上下方向に延長形成されている。図３に示すように、前記スライドドア１６，１７の支柱１１，１２側の端面には、図３において断面Ｌ形の第４遮蔽板５３が接合されている。そして、第３遮蔽板５２と第４遮蔽板５３とがラップされて、固定パネル１４，１５とスライドドア１６，１７との間の隙間Ｓ２が遮蔽されている。このため、前記隙間Ｓ１，Ｓ２へのドライバー等の侵入用工具の差し込みを阻止し、防犯性を向上するようにしている。
【００２１】
次に、前記駆動機構２３について説明する。
図２に示すように、前記固定基板２０には、モータ５７が取り付けられ、該モータ５７の回転軸に連結された駆動スプロケットホイール５８と、前記固定基板２０の側面に支持された被動スプロケットホイール５９とにチェーン６０が掛装されている。一方のスライドドア１６の吊下金具２７が、前記チェーン６０の上側張設部に連結されている。他方のスライドドア１７の吊下金具２７が、前記チェーン６０の下側張設部に連結されている。そして、前記モータ５７により前記チェーン６０が周回され、前記スライドドア１６，１７が開放又は閉鎖動作される。
【００２２】
次に、前記のように構成されたドア装置の作用について説明する。
図２及び図３に示すように、スライドドア１６，１７によって通路Ｔが閉鎖された状態においては、図１に示すように前記阻止部材３６の案内溝３６ａにスライドドア１６，１７の上端部に取り付けられた被阻止部材３９が進入されている。このため、スライドドア１６の下端面と前記案内レール３１の上面との隙間に例えばバールの先端部が挿入され、スライドドア１６に強い持ち上げ荷重が作用しても、阻止部材３６の案内溝３６ａの内頂面に被阻止部材３９の上面が当接して、スライドドア１６の上方向への移動が阻止される。従って、スライドドア１６がこじ開けられるのを防止することができる。又、阻止部材３６の案内溝３６ａに被阻止部材３９が進入されているので、前記スライドドア１６，１７の表裏面に直交する面外方向の大きな荷重が作用しても、案内溝３１ａと振止部材３３との当接によりスライドドア１６，１７の下部側の動きが阻止されるとともに、被阻止部材３９の側面が阻止部材３６の案内溝３６ａの側面に当接して、スライドドア１６，１７の上部側の面外方向の移動も防止される。
【００２３】
上記実施形態のスライドドアによれば、以下のような効果を得ることができる。
（１）上記実施形態では、図１に示すように、スライドドア１６，１７の上方の広い空間に阻止手段２２を装設することができ、取付基板３５、阻止部材３６、取付板３８及び被阻止部材３９等の各部材の肉厚寸法を厚くしたり、形状を大きくしたりして剛性を高めることができる。従って、スライドドア１６，１７に強い持ち上げ荷重が作用しても阻止手段２２によって、スライドドア１６，１７の上方移動を阻止することができ、スライドドア１６，１７のこじ開けを防止することができる。
【００２４】
（２）上記実施形態では、阻止部材３６の案内溝３６ａに被阻止部材３９が進入するようにしたので、スライドドア１６，１７の表裏面に直交する面外方向への強い荷重が作用しても、案内溝３６ａの側面に被阻止部材３９を当接させることによって、案内溝３１ａと振止部材３３との当接も相まって被阻止部材３９の同方向への移動を阻止し、スライドドア１６，１７の移動を阻止することができる。
【００２５】
（３）上記実施形態では、図１に示すように、阻止手段２２がスライドドア１６，１７の上方に存在し、かつ前記カバー４２によって阻止手段２２が遮蔽されるとともに、阻止部材３６の案内溝３６ａが下方に開口されている。このため、阻止部材３６の案内溝３６ａ内にゴミ等が侵入することはなく、阻止手段２２の清掃作業を不要にすることができる。又、案内溝３１ａの上端開口を広くすることができるため、案内溝３１ａ内の清掃作業も容易である。
【００２６】
（４）上記実施形態では、スライドドア１６，１７の通路Ｔの閉鎖状態において、図１に示すように、枠体４１の第１遮蔽板４１ａに第２遮蔽板４３を対向させて、枠体４１とスライドドア１６，１７との間の隙間Ｓ１を遮蔽した。又、図３に示すように、第３遮蔽板５２と第４遮蔽板５３を対向させて、固定パネル１４，１５とスライドドア１６，１７との間の隙間Ｓ２を遮蔽し、ドライバー等の侵入用工具の差し込みを阻止するようにした。このため、防犯性を向上することができる。
【００２７】
（５）上記実施形態では、床面Ｆに設けた案内レール３１の案内溝３１ａにスライドドア１６，１７の下部に連結した被案内部材３２の振止部材３３を収容したので、スライドドア１６，１７の開閉動作時にスライドドア１６，１７の下部を安定して案内移動することができる。
【００２８】
なお、上記実施形態は以下のように変更してもよい。
・図５に示すように、固定基板２０に取り付けた取付基板３５の水平板部３５ａを、ブラケット２９の下部水平板部２９ａの上面に接近させて対応させる。そして、スライドドア１６，１７が上方向へ移動されると、ブラケット２９の下部水平板部２９ａが取付基板３５の水平板部３５ａに当接してスライドドア１６，１７が上方へ移動されるのを阻止するようにしてもよい。この実施形態においては、阻止部材３６、被阻止部材３９が不要であるため、阻止手段２２の部品点数を低減して、構造を簡素化することができる。
【００２９】
・図６に示すように、ガイド部材２５に上下一対の案内レール２５ａ，２５ｂを設ける。そして、スライドドア１６，１７が上方向への強い荷重を受けた場合に、ローラ２６が上側の案内レール２５ｂに当接してスライドドア１６，１７のこじ開けを防止するようにしてもよい。この実施形態においては、取付基板３５も不要になるため、前記各実施形態よりもさらに部品点数を低減することができる。
【００３０】
・本発明をスライドドア１６，１７の一方を省略した自動ドア或いは手動ドア等の吊り下げ方式のドア装置に具体化してもよい。
【符号の説明】
【００３１】
ｋ…係合溝、Ｔ…通路、Ｓ１，Ｓ２…隙間、１４，１５…固定パネル、１６，１７…スライドドア、２２…阻止手段、３２…被案内部材、３３…振止部材、３６…阻止部材、３９…被阻止部材。
【図１】
0005458930.tif 000002
【図２】
0005458930.tif 000003
【図３】
0005458930.tif 000004
【図４】
0005458930.tif 000005
【図５】
0005458930.tif 000006
【図６】
0005458930.tif 000007
【図７】
0005458930.tif 000008